(57)【要約】      （修正有）【課題】ＬＣＤ（Liquid Crystal Display）モニタが有するバックライトに用いられた発光ダイオードにて消費される電力を抑え省電力化を図るとともに、視覚的に不連続な減光または増光を認識させずにバックライトの光量を漸減または漸増する。【解決手段】インターホン親機、副親機のモニタとして、発光ダイオードを用いたバックライトを有するＬＣＤモニタが適用され、通話開始時より一定時間の無音が検知された場合、または電源回路の電圧降下が検知された場合には、ＬＣＤバックライト調光部の電源回路から発光ダイオードへ供給される一定周期毎の電流のデューティ比を連続的に減少させてバックライトの光量を漸減する。また、無音状態から有音状態に復旧された場合には、電源回路から発光ダイオードへ供給される一定周期毎の電流のデューティ比を連続的に増加させてバックライトの光量を漸増する。【選択図】図２
2005328473.tif 000002
【特許請求の範囲】
【請求項１】
カメラ（１１）を有する少なくとも１台のドアホン子機（１）と、前記ドアホン子機に接続されるモニタ（２０）を有するインターホン親機（２）とで構成され、前記ドアホン子機のカメラにて撮像された映像を前記インターホン親機のモニタに出画するとともに、前記ドアホン子機および前記インターホン親機の間で双方向通話を行うテレビインターホン装置であって、
前記モニタは、発光ダイオード（２００ａ）を用いたバックライト（２００）を有するＬＣＤモニタにて構成し、前記発光ダイオードに給電する電源回路（３４）の消費電力を抑えるために前記バックライトの光量を減光するにあたり前記光量を漸減させるバックライト調光部（２０１）を備えたことを特徴とするテレビインターホン装置。
【請求項２】
カメラ（１１）を有する少なくとも１台のドアホン子機（１）と、前記ドアホン子機と有線で接続されるモニタ（２０）を有するインターホン親機（２）と、前記インターホン親機と無線または有線で接続されるモニタ（４０）を有する少なくとも１台のインターホン副親機（３）とで構成され、前記ドアホン子機のカメラにて撮像された映像を前記インターホン親機のモニタに出画するとともに、前記インターホン親機を介して前記映像を前記インターホン副親機のモニタに出画し、前記ドアホン子機および前記インターホン親機の間、前記ドアホン子機および前記インターホン副親機の間、前記インターホン親機および前記インターホン副親機の間でそれぞれ双方向通話を行うテレビインターホン装置であって、
前記モニタは、発光ダイオード（２００ａ、４００ａ）を用いたバックライト（２００、４００）を有するＬＣＤモニタにて構成し、前記発光ダイオードに給電する電源回路（３４、５０）の消費電力を抑えるために前記バックライトの光量を減光するにあたり前記光量を漸減させるバックライト調光部（２０１、４０１）を備えたことを特徴とするテレビインターホン装置。
【請求項３】
前記電源回路は、一次電池または二次電池にて構成されることを特徴とする請求項１または請求項２記載のテレビインターホン装置。
【請求項４】
前記バックライト調光部には、前記電源回路および前記発光ダイオードを用いたバックライトの間にスイッチ制御タイマ回路（２０１ｂ、４０１ｂ）にて負荷電流のデューティ比を可変させるためのスイッチ回路（２０１ａ、４０１ａ）を備えたことを特徴とする請求項１乃至請求項３のうち何れか１項記載のテレビインターホン装置。
【請求項５】
前記バックライト調光部は、前記スイッチ回路および前記スイッチ制御タイマ回路により、前記発光ダイオードへ供給される一定周期毎の電流のデューティ比を連続的に減少または増加させる制御を行うことを特徴とする請求項１乃至請求項４のうち何れか１項記載のテレビインターホン装置。
【請求項６】
前記バックライト調光部は、通話開始時より一定時間の無音を検知してから減光し、音声を検知したとき前記発光ダイオードへ供給される前記電流のデューティ比を連続的に増加させることを特徴とする請求項１乃至請求項５のうち何れか１項記載のテレビインターホン装置。
【請求項７】
前記バックライト調光部は、前記スイッチ制御タイマ回路に入力される電源電圧検知信号と連動し前記電源回路の電圧降下とともに前記発光ダイオードへ供給される前記電流のデューティ比を連続的に減少させて低消費電力制御を行うことを特徴とする請求項１乃至請求項６のうち何れか１項記載のテレビインターホン装置。
【発明の詳細な説明】
【技術分野】
【０００１】
本発明はテレビインターホン装置に係り、特に、ＬＣＤ（Liquid Crystal Display）モニタが有するバックライトに用いられた発光ダイオードにて消費される電力を抑え省電力化が図られたテレビインターホン装置に関する。
【背景技術】
【０００２】
従来から、この種のテレビインターホン装置として、図４のシステム説明図に示す構成のテレビインターホン装置が提案されている（例えば、非特許文献１を参照）。
【０００３】
図４のシステム説明図に示す従来例のテレビインターホン装置において、少なくとも１台のドアホン子機、ここでは、１台のドアホン子機５０１から呼び出しがあった場合、インターホン親機５０２および少なくとも１台のインターホン副親機、ここでは、１台のインターホン副親機５０３では、ドアホン子機５０１から呼び出しがあった旨の報知が行われるばかりでなく、ドアホン子機１０１のカメラ５１０にて撮像された映像が各モニタ５２０、５３０に出画される。ここで、インターホン親機５０２およびインターホン副親機５０３のうち何れか一方の当該親機にてドアホン子機５０１からの呼び出しに応答すると、呼出先の当該親機と呼出元のドアホン子機５０１との間で双方向通話を行うことができる。
【０００４】
また、インターホン親機５０２およびインターホン副親機５０３のうち何れか一方の当該親機、例えば、インターホン親機５０２から呼び出しがあった場合、他方の当該親機であるインターホン副親機５０３では、インターホン親機５０２から呼び出しがあった旨の報知が行われる。ここで、インターホン副親機５０３にてインターホン親機５０２からの呼び出しに応答すると、呼出先のインターホン副親機５０３と呼出元のインターホン親機５０２との間で双方向通話を行うことができる。
【０００５】
さらに、インターホン親機５０２およびインターホン副親機５０３のうち何れか一方の当該親機、例えば、インターホン副親機５０３から呼び出しがあった場合、他方の当該親機であるインターホン親機５０２では、インターホン副親機５０３から呼び出しがあった旨の報知が行われる。ここで、インターホン親機５０２にてインターホン副親機５０３からの呼び出しに応答すると、呼出先のインターホン親機５０２と呼出元のインターホン副親機５０３との間で双方向通話を行うことができる。
【０００６】
【非特許文献１】アイホン  総合カタログ２００３／２００４年版（４〜７頁等）
【発明の開示】
【発明が解決しようとする課題】
【０００７】
しかしながら、従来例のテレビインターホン装置において、図４のシステム説明図に示すように、インターホン親機５０２およびインターホン副親機５０３の間を無線で接続すると、インターホン副親機５０３は可搬性が重視されるため動作電源として電池へ依存する割合が高くなるばかりでなく、モニタ５３０が有するバックライトに用いられた発光ダイオード（図示せず）にて消費される電力が大きいため、当該バックライトの輝度を上げると電池駆動の持続時間が短くなる難点があった。
【０００８】
本発明は、上述の難点を解消するためになされたもので、インターホン親機のモニタ、或いは、インターホン親機のモニタおよびインターホン副親機のモニタとしてＬＣＤモニタを適用し、このＬＣＤモニタが有するバックライトに用いられた発光ダイオードにて消費される電力を抑え省電力化を図るとともに、視覚的に不連続な減光または増光を認識させずにバックライトの光量を漸減または漸増できるテレビインターホン装置を提供することを目的としている。
【課題を解決するための手段】
【０００９】
本発明の目的を達成するため、本発明のテレビインターホン装置は、カメラを有する少なくとも１台のドアホン子機と、ドアホン子機に接続されるモニタを有するインターホン親機とで構成され、ドアホン子機のカメラにて撮像された映像をインターホン親機のモニタに出画するとともに、ドアホン子機およびインターホン親機の間で双方向通話を行う当該装置である。モニタは、発光ダイオードを用いたバックライトを有するＬＣＤモニタにて構成し、発光ダイオードに給電する電源回路の消費電力を抑えるためにバックライトの光量を減光するにあたり光量を漸減させるバックライト調光部を備えている。
【００１０】
また、本発明のテレビインターホン装置は、カメラを有する少なくとも１台のドアホン子機と、ドアホン子機と有線で接続されるモニタを有するインターホン親機と、インターホン親機と無線または有線で接続されるモニタを有する少なくとも１台のインターホン副親機とで構成され、ドアホン子機のカメラにて撮像された映像をインターホン親機のモニタに出画するとともに、インターホン親機を介して映像をインターホン副親機のモニタに出画し、ドアホン子機およびインターホン親機の間、ドアホン子機およびインターホン副親機の間、インターホン親機およびインターホン副親機の間でそれぞれ双方向通話を行う当該装置である。モニタは、発光ダイオードを用いたバックライトを有するＬＣＤモニタにて構成し、発光ダイオードに給電する電源回路の消費電力を抑えるためにバックライトの光量を減光するにあたり光量を漸減させるバックライト調光部を備えている。
【００１１】
また、本発明のテレビインターホン装置において、電源回路は、一次電池または二次電池にて構成されている。
【００１２】
また、本発明のテレビインターホン装置において、バックライト調光部には、電源回路および発光ダイオードを用いたバックライトの間にスイッチ制御タイマ回路にて負荷電流のデューティ比を可変させるためのスイッチ回路を備えている。
【００１３】
また、本発明のテレビインターホン装置において、バックライト調光部は、スイッチ回路およびスイッチ制御タイマ回路により、発光ダイオードへ供給される一定周期毎の電流のデューティ比を連続的に減少または増加させる制御を行うものである。
【００１４】
また、本発明のテレビインターホン装置において、バックライト調光部は、通話開始時より一定時間の無音を検知してから減光し、音声を検知したとき発光ダイオードへ供給される電流のデューティ比を連続的に増加させるものである。
【００１５】
また、本発明のテレビインターホン装置において、バックライト調光部は、スイッチ制御タイマ回路に入力される電源電圧検知信号と連動し電源回路の電圧降下とともに発光ダイオードへ供給される電流のデューティ比を連続的に減少させて低消費電力制御を行うものである。
【発明の効果】
【００１６】
本発明のテレビインターホン装置によれば、インターホン親機のモニタ、或いは、インターホン親機のモニタおよびインターホン副親機のモニタとして、発光ダイオードを用いたバックライトを有するＬＣＤモニタが適用され、通話開始時より一定時間の無音が検知された場合、または電源回路の電圧降下が検知された場合には、ＬＣＤモニタが有するバックライト調光部のスイッチ制御タイマ回路によりスイッチ回路が制御され、電源回路から発光ダイオードへ供給される一定周期毎の電流（負荷電流）のデューティ比を連続的に減少させてバックライトの光量を漸減することにより、電源回路から発光ダイオードに給電される電源回路の消費電力が抑えられ省電力化が図られるだけでなく、視覚的に不連続な減光を認識させずに済む。また、無音状態から有音状態に復旧された場合には、ＬＣＤモニタが有するバックライト調光部のスイッチ制御タイマ回路によりスイッチ回路が制御され、電源回路から発光ダイオードへ供給される一定周期毎の電流（負荷電流）のデューティ比を連続的に増加させてバックライトの光量を漸増することにより、視覚的に不連続な増光を認識させずに済む。
【発明を実施するための最良の形態】
【００１７】
以下、本発明のテレビインターホン装置を適用した最良の実施の形態例について、図面を参照して説明する。
【００１８】
図１は、本発明の実施例によるテレビインターホン装置の構成を示すシステム説明図である。
【００１９】
図１のシステム説明図に示すテレビインターホン装置は、住戸外、例えば、住戸外に設置されており、来訪者が住戸内に在室中の居住者（後述する第１の居住者および第２の居住者）を呼び出して双方向通話を行うとともに、呼出操作を行った来訪者や住戸玄関の周囲環境の映像を撮像するための少なくとも１台のドアホン子機、ここでは、１台のドアホン子機１と、住戸内に設置されており、子機／親機ラインＬ1を介して有線で接続されたドアホン子機１からの呼び出しを映像の出画とともに確認した居住者（以下、第１の居住者という。）が来訪者との間で双方向通話を行うとともに、有線または無線で接続された少なくとも１台のインターホン副親機、ここでは、無線で接続された１台のインターホン副親機３を使用した居住者（以下、第２の居住者という。）との間で呼び出し、双方向通話を行うためのインターホン親機２と、住戸内に設置されており、上述のドアホン子機１からの呼び出しを映像の出画とともに確認した第２の居住者が来訪者との間で双方向通話を行うとともに、第２の居住者が第１の居住者との間で呼び出し、双方向通話を行うためのインターホン副親機３とから構成されている。
【００２０】
図１のシステム説明図において、ドアホン子機１は、来訪者が第１の居住者および第２の居住者を呼び出すために操作する呼出ボタン１０と、呼出操作を行った来訪者や住戸玄関の周囲環境の映像を撮像するためのカメラ１１と、来訪者が第１の居住者および第２の居住者のうち何れか一方の当該居住者との間で双方向通話を行うための音声（送話音声、受話音声）を入出力するマイク１２およびスピーカ１３とを有している。
【００２１】
また、インターホン親機２は、ドアホン子機１のカメラ１１にて撮像された映像、ドアホン子機１またはインターホン副親機３からの呼び出しがある旨の内容を示す文字や絵データ、後述する操作部２３の操作情報等を出画／表示するためのモニタ、ここでは、ＬＣＤモニタ２０と、ドアホン子機１またはインターホン副親機３からの呼び出し、すなわち、来訪者または第２の居住者からの呼び出しがある旨を報知するための呼出音や音声メッセージを出力するとともに、来訪者または第２の居住者からの受話音声が出力されるスピーカ２１と、第１の居住者が双方向通話を行うためにスピーカ２１とともに使用し、送話音声を入力するマイク２２と、第１の居住者が来訪者または第２の居住者からの呼び出しに応答するための応答操作や第２の居住者を呼び出すための呼出操作等が行われる通話ボタン、呼出ボタン等の操作部２３とを有している。
【００２２】
さらに、インターホン副親機３は、ドアホン子機１のカメラ１１にて撮像された映像、ドアホン子機１またはインターホン親機２からの呼び出しがある旨の内容を示す文字や絵データ、後述する操作部４３の操作情報等を出画／表示するためのモニタ、ここでは、ＬＣＤモニタ４０と、ドアホン子機１またはインターホン親機２からの呼び出し、すなわち、来訪者または第１の居住者からの呼び出しがある旨を報知するための呼出音や音声メッセージを出力するとともに、来訪者または第１の居住者からの受話音声が出力されるスピーカ４１と、第２の居住者が双方向通話を行うためにスピーカ４１とともに使用し、送話音声を入力するマイク４２と、第２の居住者が来訪者または第１の居住者からの呼び出しに応答するための応答操作や第１の居住者を呼び出すための呼出操作等が行われる通話ボタン、呼出ボタン等の操作部４３とを有している。
【００２３】
図２は、本発明の実施例によるテレビインターホン装置の具体的な構成を示すブロック図である。
【００２４】
図２のブロック図において、ドアホン子機１には、上述の呼出ボタン１０、カメラ１１、マイク１２およびスピーカ１３と、呼出ボタン１０の操作を検出するための呼出回路１４と、カメラ１１にて撮像された映像であり信号処理が行われた映像信号をＦＭ変調するための映像変調回路１５と、マイク１２を介して入力された送話音声であり信号処理が行われた音声信号を４線／２線変換や増幅する、またはスピーカ１３を介して出力される受話音声であり信号処理が行われた音声信号を２線／４線変換や増幅するための通話回路１６と、呼出回路１４、映像変調回路１５、通話回路１６の各回路および子機／親機ラインＬ1の間の有線による信号伝送路をそれぞれ形成するためのインターフェース（以下、子機Ｉ／Ｆという。）１７とが備えられている。
【００２５】
また、インターホン親機２には、上述のＬＣＤモニタ２０、スピーカ２１、マイク２２、操作部２３と、ドアホン子機１の呼出ボタン１０が操作されたことを検出するための呼出検出回路２４と、ドアホン子機１の映像変調回路１５からの映像変調信号をＦＭ復調するための映像復調回路２５と、映像復調回路２５を介してＦＭ復調された映像信号をアナログ／デジタル変換（以下、Ａ／Ｄ変換という。）するためのＡ／Ｄ変換回路２６と、Ａ／Ｄ変換回路２６を介してＡ／Ｄ変換されたデジタル映像信号を圧縮するとともに、後述するメモリ３２から読み出される圧縮デジタル映像信号を伸張するための映像圧縮／伸張回路２７と、映像圧縮／伸張回路２７を介して圧縮／伸張されたデジタル映像信号について、ＬＣＤモニタ２０に出画させるための所定の信号フォーマットに変換する映像表示インターフェース（以下、映像表示Ｉ／Ｆという。）２８と、スピーカ２１を介して出力される呼出音や音声メッセージを生成する音声合成回路２９と、スピーカ２１を介して出力される受話音声であり信号処理が行われた音声信号を２線／４線変換や増幅する、またはマイク２２を介して入力された送話音声であり信号処理が行われた音声信号を４線／２線変換や増幅するための通話回路３０と、通話回路３０を介した音声信号をＡ／Ｄ変換するとともに、後述するメモリ３２から読み出されるデジタル音声信号をデジタル／アナログ変換（以下、Ｄ／Ａ変換という。）するための音声コーデック回路３１と、映像圧縮／伸張回路２７を介して圧縮された圧縮デジタル映像信号や音声コーデック回路３１を介してＡ／Ｄ変換されたデジタル音声信号を保存するためのメモリ３２と、当該インターホン親機の構成各部を制御するために設けられており計時機能を有する制御回路３３と、当該インターホン親機の構成各部に動作電源を給電するための電源回路、ここでは、アルカリ電池等の一次電池またはリチウムイオン電池等の二次電池にて構成される電源回路３４と、電源回路３４の電源電圧（電圧レベル）を検知するための電源電圧検知回路３５と、マイク２２を介して送話音声が入力されたか否かを検知する、すなわち、無音状態であるか否かを検知するための音声検知回路３６と、呼出検出回路２４、映像変調回路２５、通話回路３０の各部および子機／親機ラインＬ1の間の有線による信号伝送路をそれぞれ形成するための子機側インターフェース（以下、子機側親機有線Ｉ／Ｆという。）３７と、音声コーデック回路３１、制御回路３３の各部およびインターホン副親機３の後述するインターフェース５３の間の無線による信号伝送路をそれぞれ形成するための副親機側インターフェース（以下、副親機側親機無線Ｉ／Ｆという。）３８とが備えられている。
【００２６】
なお、インターホン親機２のＬＣＤモニタ２０は、発光ダイオード２００ａを有するバックライト２００と、電源回路３４からの給電によりバックライト２００にて消費される電力（消費電力）を抑えるためにバックライト２００の光量を減光させるにあたり当該光量を漸減する、またはバックライト２００の光量を増光させるにあたり当該光量を漸増するバックライト調光部２０１とを備えており、このバックライト調光部２０１は、バックライト２００として用いられた発光ダイオード２００ａへ供給される電流（負荷電流）のデューティ比を可変させる、例えば、減少または増加させるためのスイッチ回路２０１ａと、スイッチ回路２０１ａを制御するために設けられ、電源電圧検知回路３５または音声検知回路３６からの出力信号が入力されるスイッチ制御タイマ回路２０１ｂとを有している。
【００２７】
さらに、インターホン副親機３には、上述のＬＣＤモニタ４０、スピーカ４１、マイク４２、操作部４３と、インターホン親機２の映像圧縮／伸張回路２７を介して圧縮された当該信号であり制御回路３３からの圧縮デジタル映像信号を伸張するための映像圧縮／伸張回路４４と、映像圧縮／伸張回路回路４４を介して伸張されたデジタル映像信号について、ＬＣＤモニタ４０に出画させるための所定の信号フォーマットに変換する映像表示Ｉ／Ｆ４５と、スピーカ４１を介して出力される呼出音や音声メッセージを生成する音声合成回路４６と、スピーカ４１を介して出力される受話音声であり信号処理が行われた音声信号を２線／４線変換や増幅する、またはマイク４２を介して入力された送話音声であり信号処理が行われた音声信号を４線／２線変換や増幅するための通話回路４７と、通話回路４７を介した音声信号をＡ／Ｄ変換するとともに、デジタル音声信号をＤ／Ａ変換するための音声コーデック回路４８と、当該インターホン副親機の構成各部を制御するために設けられており計時機能を有する制御回路４９と、当該インターホン親機の構成各部に動作電源を給電するための一次電池または二次電池にて構成される電源回路５０と、電源回路５０の電源電圧（電圧レベル）を検知するための電源電圧検知回路５１と、マイク４２を介して送話音声が入力されたか否かを検知する、すなわち、無音状態であるか否かを検知するための音声検知回路５２と、音声コーデック回路４８、制御回路４９の各部およびインターホン親機２の副親機側親機無線Ｉ／Ｆ３８の間の無線による信号伝送路をそれぞれ形成するためのインターフェース（以下、副親機無線Ｉ／Ｆという。）５３とが備えられている。
【００２８】
なお、インターホン副親機３のＬＣＤモニタ４０は、発光ダイオード４００ａを有するバックライト４００と、電源回路５０からの給電によりバックライト４００にて消費される電力（消費電力）を抑えるためにバックライト４００の光量を減光させるにあたり当該光量を漸減する、またはバックライト４００の光量を増光させるにあたり当該光量を漸増するバックライト調光部４０１とを備えており、このバックライト調光部４０１は、バックライト４００として用いられた発光ダイオード４００ａへ供給される電流（負荷電流）のデューティ比を可変させる、例えば、減少または増加させるためのスイッチ回路４０１ａと、スイッチ回路４０１ａを制御するために設けられ、電源電圧検知回路５１または音声検知回路５２からの出力信号が入力されるスイッチ制御タイマ回路４０１ｂとを有している。
【００２９】
このように構成された本発明の実施例によるテレビインターホン装置において、以下、具体的な動作について図１のシステム説明図、図２のブロック図および図３の動作説明図をそれぞれ参照して説明する。
【００３０】
ここで、図３の動作説明図は、インターホン親機２のＬＣＤモニタ２０が有するバックライト２００およびインターホン副親機３のＬＣＤモニタ４０が有するバックライト４００の点灯輝度の遷移を示す説明図である。
【００３１】
なお、本発明の実施例によるテレビインターホン装置において、無線で接続されたインターホン親機２およびインターホン副親機３の間の呼び出し、双方向通話の動作、すなわち、第１の居住者および第２の居住者の間の呼び出し、双方向通話の動作は、上述の従来技術や、その他の先行技術の文献（特許文献、非特許文献）より明らかであることから説明は省略する。
【００３２】
図１のシステム説明図および図２のブロック図において、住戸玄関に居る来訪者がドアホン子機１の呼出ボタン１０を操作すると、この呼出操作を検出した呼出回路１４から子機Ｉ／Ｆ１７、子機／親機ラインＬ1、インターホン親機２の子機側親機有線Ｉ／Ｆ３７を介して呼出検出回路２４へと呼出信号が伝送されるとともに、呼出操作を行った来訪者や住戸玄関の周囲環境の映像がカメラ１１にて撮像開始される。また、カメラ１１にて撮像が開始された映像は、映像変調回路１５を介してＦＭ変調された映像変調信号として、子機Ｉ／Ｆ１７、子機／親機ラインＬ1、インターホン親機２の子機側親機有線Ｉ／Ｆ３７を介して映像復調回路２５へと伝送される。
【００３３】
インターホン親機２の呼出検出回路２４は、ドアホン子機１からの呼出信号をもとに来訪者による呼び出しがあることを検出し、その旨の呼出検出信号を制御回路３３に出力する。
【００３４】
インターホン親機２の制御回路３３は、呼出検出回路２４からの呼出検出信号が入力されると、電源回路３４を制御して当該インターホン親機およびドアホン子機１の動作電源、すなわち、待受時とは異なる電圧レベルの電源電圧（動作電圧）を確保させるとともに、音声合成回路２９を制御して呼出報知を行うための呼出音や音声メッセージを生成させることにより、来訪者からの呼び出しがある旨の呼出音や音声メッセージがスピーカ２１から出力される。
【００３５】
また、インターホン親機２の制御回路３３は、上述の電源供給制御および呼出報知制御のみならず、ＬＣＤモニタ２０、映像復調回路２５、Ａ／Ｄ変換回路２６、映像圧縮／伸張回路２７および映像表示Ｉ／Ｆ２８がそれぞれ能動となるように制御する。
【００３６】
インターホン親機２の映像復調回路２５は、ドアホン子機１の映像変調回路１５からの映像変調信号をＦＭ復調し、ＦＭ復調させた映像信号をＡ／Ｄ変換回路２６に出力する。
【００３７】
インターホン親機２のＡ／Ｄ変換回路２６は、映像復調回路２５からの映像信号をＡ／Ｄ変換し、Ａ／Ｄ変換させたデジタル映像信号を映像圧縮／伸張回路２７に出力する。
【００３８】
インターホン親機２の映像圧縮／伸張回路２７は、Ａ／Ｄ変換回路２６からのデジタル映像信号を圧縮し、圧縮させた圧縮デジタル縮映像信号を映像表示Ｉ／Ｆ２８を介してＬＣＤモニタ２０に出力するとともに制御回路３３に出力する。
【００３９】
ここで、インターホン親機２の制御回路３３は、映像圧縮／伸張回路２７を介して圧縮された圧縮デジタル映像信号に上述の呼出検出信号を付加させた呼出転送信号を生成する。この呼出転送信号は、制御回路３３から副親機側親機無線Ｉ／Ｆ３８、インターホン副親機３の副親機無線Ｉ／Ｆ５３を介して制御回路４９へと伝送される。
【００４０】
なお、インターホン親機２の制御回路３３は、映像圧縮／伸張回路２７を介して圧縮された圧縮デジタル映像信号をメモリ３２に保存させることもできる。
【００４１】
インターホン親機２のＬＣＤモニタ２０において、バックライト２００として用いられた発光ダイオード２００ａは、電源回路３４から電源電圧検知回路３５、バックライト調光部２０１のスイッチ制御タイマ回路２０１ｂ、スイッチ回路２０１ａを介して給電されてくる電源電圧により、図３の動作説明図に示すように、固定された輝度で連続して点灯されることから、ドアホン子機１のカメラ１１にて撮像された来訪者や住戸玄関の周囲環境の映像を、輝度が確保された視認性の高い映像として出画させることができる。
【００４２】
上述のように、インターホン親機２の使用者である第１の居住者は、ＬＣＤモニタ２０に出画された映像およびスピーカ２１からの呼出音や音声メッセージの出力をもとに、来訪者からの呼び出しを当該来訪者の識別と併せて確認することができる。
【００４３】
インターホン副親機３の制御回路４９は、インターホン親機２の制御回路３３からの呼出転送信号に付加されている呼出検出信号が入力されると、電源回路５０を制御して当該インターホン副親機の動作電源、すなわち、待受時とは異なる電圧レベルの電源電圧（動作電圧）を確保させるとともに、音声合成回路４６を制御して呼出報知を行うための呼出音や音声メッセージを生成させることにより、来訪者からの呼び出しがある旨の呼出音や音声メッセージがスピーカ４１から出力される。
【００４４】
また、インターホン副親機３の制御回路４９は、上述の電源供給制御および呼出報知制御のみならず、ＬＣＤモニタ４０、映像圧縮／伸張回路４４および映像表示Ｉ／Ｆ４５がそれぞれ能動となるように制御する。
【００４５】
インターホン副親機３の映像圧縮／伸張回路４４は、制御回路４９を介して呼出転送信号から分離された圧縮デジタル映像信号を伸張し、伸張させたデジタル映像信号を映像表示Ｉ／Ｆ４５を介してＬＣＤモニタ４０に出力する。
【００４６】
インターホン副親機３のＬＣＤモニタ４０において、バックライト４００として用いられた発光ダイオード４００ａは、電源回路５０から電源電圧検知回路５１、バックライト調光部４０１のスイッチ制御タイマ回路４０１ｂ、スイッチ回路４０１ａを介して給電されてくる電源電圧により、図３の動作説明図に示すように、固定された輝度で連続して点灯されることから、ドアホン子機１のカメラ１１にて撮像された来訪者や住戸玄関の周囲環境の映像を、輝度が確保された視認性の高い映像として出画させることができる。
【００４７】
上述のように、インターホン副親機３の使用者である第２の居住者は、ＬＣＤモニタ４０に出画された映像およびスピーカ４１からの呼出音や音声メッセージの出力をもとに、来訪者からの呼び出しを当該来訪者の識別と併せて確認することができる。
【００４８】
次に、来訪者からの呼び出しを当該来訪者の識別と併せて確認した第１の居住者および第２の居住者のうち、何れか一方の当該居住者が応答する、先ず、最先の応答として第１の居住者がインターホン親機２の操作部２３を使用して所定の応答操作を行うと、この応答操作を検出した制御回路３３は、音声合成回路２９が非能動となるように制御してスピーカ２１からの呼出音や音声メッセージの出力を停止させるばかりでなく、通話回路３０が能動となるように制御して第１の居住者が使用するスピーカ２１およびマイク２２と通話回路３０、子機側親機有線Ｉ／Ｆ３７、子機／親機ラインＬ1、ドアホン子機１の子機Ｉ／Ｆ１７、通話回路１６を介して来訪者が使用するマイク１２およびスピーカ１３との間の通話路を形成する。これにより、形成された通話路を介して音声信号を送受信させると双方向通話を行うことができ、特に、第１の居住者にとっては、インターホン親機２のＬＣＤモニタ２０に出画されている来訪者の映像を確認しながら双方向通話を行うことができる。
【００４９】
なお、第１の居住者と来訪者との間で双方向通話が行われている状態において、インターホン親機２の制御回路３３は、映像圧縮／伸張回路２７を介して圧縮された圧縮デジタル映像信号をメモリ３２に保存させることもできる。
【００５０】
また、インターホン親機２の制御回路３３は、上述の呼出報知停止制御および通話路形成制御のみならず、インターホン副親機３のＬＣＤモニタ４０への映像の出画およびスピーカ４１からの呼出音や音声メッセージの出力を停止させるための副親機制御信号を生成する。この副親機制御信号は、上述の呼出転送信号と同一の経路を介してインターホン副親機３の制御回路４９へと伝送される。
【００５１】
インターホン副親機３の制御回路４９は、インターホン親機２の制御回路３３からの副親機制御信号が入力されると、ＬＣＤモニタ４０、映像圧縮／伸張回路４４、映像表示Ｉ／Ｆ４５および音声合成回路４６がそれぞれ非能動となるように制御して来訪者の映像の出画を停止させるとともに、スピーカ４１からの呼出音や音声メッセージの出力を停止させることができる。
【００５２】
ここで、第１の居住者と来訪者との間で双方向通話が行われている状態において、第１の居住者によるインターホン親機２のマイク２２への送話音声の入力が停止されると、この無音状態を一定時間検知した音声検知回路３６からの無音検知信号の入力に連動して、ＬＣＤモニタ２０が有するバックライト調光部２０１のスイッチ制御タイマ回路２０１ｂによりスイッチ回路２０１ａが制御され、図３の動作説明図に示すように、バックライト２００として用いられた発光ダイオード２００ａへ供給される電流（負荷電流）のデューティ比を連続的に減少、例えば、スイッチ制御タイマ回路２０１ｂにて計時される所定の周期Ｔ1毎にデューティ比を「（１００−１）％」から「（１００−２）％」、「（１００−３）％」、・・・のように「（１００−ｎ）％」まで漸減させ、バックライト２００の光量を予め固定された所定の輝度から連続的に減光することにより、バックライト２００の消費電力が抑えられる。この後、マイク２２への送話音声の入力が再び開始されると、有音状態を検知した音声検知回路３６からの有音検知信号の入力に連動して、ＬＣＤモニタ２０が有するバックライト調光部２０１のスイッチ制御タイマ回路２０１ｂによりスイッチ回路２０１ａが制御され、図３の動作説明図に示すように、バックライト２００として用いられた発光ダイオード２００ａへ供給される電流（負荷電流）のデューティ比を連続的に増加、例えば、スイッチ制御タイマ回路２０１ｂにて計時される所定の周期Ｔ2毎にデューティ比を「｛１００−（ｎ＋１）｝％」から「｛１００−（ｎ＋２）｝％」、・・・、「９８％」、「９９％」のように「１００％」まで漸増させることにより、バックライト２００の光量が連続的に増光され所定の輝度へと復旧する。
【００５３】
また、第１の居住者と来訪者との間で双方向通話が行われている状態において、インターホン親機２の電源回路３４の電源電圧が降下すると、この電圧降下を検知した電源電圧検知回路３４からの電源電圧検知信号の入力に連動して、ＬＣＤモニタ２０が有するバックライト調光部２０１のスイッチ制御タイマ回路２０１ｂによりスイッチ回路２０１ａが制御され、図３の動作説明図に示すように、バックライト２００として用いられた発光ダイオード２００ａへ供給される電流（負荷電流）のデューティ比を連続的に減少、例えば、スイッチ制御タイマ回路２０１ｂにて計時される所定の周期Ｔ1毎にデューティ比を「（１００−１）％」から「（１００−２）％」、「（１００−３）％」、・・・のように「（１００−ｎ）％」まで漸減させ、バックライト２００の光量を予め固定された所定の輝度から連続的に減光することにより、バックライト２００の消費電力が抑えられる。
【００５４】
一方、来訪者からの呼び出しを当該来訪者の識別と併せて確認した第１の居住者および第２の居住者のうち、最先の応答として第２の居住者がインターホン副親機３の操作部４３を使用して所定の応答操作を行うと、この応答操作を検出した制御回路４９は、音声合成回路４６が非能動となるように制御してスピーカ４１からの呼出音や音声メッセージの出力を停止させるばかりでなく、通話回路４７、音声コーデック回路４８がそれぞれ能動となるように制御し、さらに、インターホン親機２のＬＣＤモニタ２０への映像の出画およびスピーカ２１からの呼出音や音声メッセージの出力を停止させるとともに通話回路３３０、音声コーデック回路３１をそれぞれ能動に制御するための親機制御信号を生成する。この親機制御信号は、上述の呼出転送信号、副親機制御信号と逆の経路を介してインターホン親機２の制御回路３３へと伝送される。
【００５５】
インターホン親機２の制御回路３３は、インターホン副親機３の制御回路４９からの親機制御信号が入力されると、ＬＣＤモニタ２０、映像表示Ｉ／Ｆ２８および音声合成回路２９がそれぞれ非能動となるように制御して来訪者の映像の出画も停止させるとともに、スピーカ２１からの呼出音や音声メッセージの出力を停止させ、さらに、通話回路３０のみならず音声コーデック回路３１が能動となるように制御することにより、第２の居住者が使用するインターホン副親機３のスピーカ４１およびマイク４２と通話回路４７、音声コーデック回路４８、副親機無線Ｉ／Ｆ５３、インターホン親機２の副親機側親機無線Ｉ／Ｆ３８、音声コーデック回路３１、通話回路３０、子機側親機有線Ｉ／Ｆ３７、子機／親機ラインＬ1、ドアホン子機１の子機Ｉ／Ｆ１７、通話回路１６を介して来訪者が使用するマイク１２およびスピーカ１３との間の通話路が形成される。これにより、形成された通話路を介して音声信号を送受信させると双方向通話を行うことができ、特に、第２の居住者にとっては、インターホン副親機３のＬＣＤモニタ４０に出画されている来訪者の映像を確認しながら双方向通話を行うことができる。
【００５６】
なお、第２の居住者と来訪者との間で双方向通話が行われている状態において、インターホン親機２の制御回路３３は、映像圧縮／伸張回路２７を介して圧縮された圧縮デジタル映像信号および／または音声コーデック回路３１を介してＡ／Ｄ変換されたデジタル音声信号をメモリ３２に保存させることもできる。
【００５７】
ここで、第２の居住者と来訪者との間で双方向通話が行われている状態において、第２の居住者によるインターホン副親機３のマイク４２への送話音声の入力が停止されると、この無音状態を一定時間検知した音声検知回路５２からの無音検知信号の入力に連動して、ＬＣＤモニタ４０が有するバックライト調光部４０１のスイッチ制御タイマ回路４０１ｂによりスイッチ回路４０１ａが制御され、図３の動作説明図に示すように、バックライト４００として用いられた発光ダイオード４００ａへ供給される電流（負荷電流）のデューティ比を連続的に減少、例えば、スイッチ制御タイマ回路４０１ｂにて計時される所定の周期Ｔ1毎にデューティ比を「（１００−１）％」から「（１００−２）％」、「（１００−３）％」、・・・のように「（１００−ｎ）％」まで漸減させ、バックライト４００の光量を予め固定された所定の輝度から連続的に減光することにより、バックライト４００の消費電力が抑えられる。この後、マイク４２への送話音声の入力が再び開始されると、有音状態を検知した音声検知回路５２からの有音検知信号の入力に連動して、ＬＣＤモニタ４０が有するバックライト調光部４０１のスイッチ制御タイマ回路４０１ｂによりスイッチ回路４０１ａが制御され、図３の動作説明図に示すように、バックライト４００として用いられた発光ダイオード４００ａへ供給される電流（負荷電流）のデューティ比を連続的に増加、例えば、スイッチ制御タイマ回路４０１ｂにて計時される所定の周期Ｔ2毎にデューティ比を「｛１００−（ｎ＋１）｝％」から「｛１００−（ｎ＋２）｝％」、・・・、「９８％」、「９９％」のように「１００％」まで漸増させることにより、バックライト４００の光量が連続的に増光され所定の輝度へと復旧する。
【００５８】
また、第２の居住者と来訪者との間で双方向通話が行われている状態において、インターホン副親機３の電源回路５０の電源電圧が降下すると、この電圧降下を検知した電源電圧検知回路５１からの電源電圧検知信号の入力に連動して、ＬＣＤモニタ４０が有するバックライト調光部４０１のスイッチ制御タイマ回路４０１ｂによりスイッチ回路４０１ａが制御され、図３の動作説明図に示すように、バックライト４００として用いられた発光ダイオード４００ａへ供給される電流（負荷電流）のデューティ比を連続的に減少、例えば、スイッチ制御タイマ回路４０１ｂにて計時される所定の周期Ｔ1毎にデューティ比を「（１００−１）％」から「（１００−２）％」、「（１００−３）％」、・・・のように「（１００−ｎ）％」まで漸減させ、バックライト４００の光量を予め固定された所定の輝度から連続的に減光することにより、バックライト４００の消費電力が抑えられる。
【産業上の利用可能性】
【００５９】
本発明の実施例によれば、ドアホン子機１、インターホン副親機３の台数をそれぞれ１台として説明したが、この台数に限定されず、１台以上でより複数台の当該ドアホン子機およびインターホン副親機を設けることもできる。
【００６０】
また、本発明の実施例によれば、インターホン親機２およびインターホン副親機３の間を無線で接続したが、これに限定されず、有線で接続することもできる。この場合、インターホン親機２およびインターホン副親機３には、有線をなす親機／副親機ライン（図示せず）を接続させるための有線通信用のインターフェース（図示せず）が必要となる、一方、上述の副親機側親機無線Ｉ／Ｆ３８、副親機無線Ｉ／Ｆ５３はそれぞれ不要となる。
【００６１】
また、本発明の実施例によれば、インターホン親機２、インターホン副親機３がそれぞれ有する双方向による通話機能として、スピーカ２１、４１およびマイク２２、４２を使用したハンズフリー拡声通話を適用したが、これに限定されず、マイク２２、４２を不要として別途に設けた送受話器（図示せず）を使用したハンドセット通話を適用する、或いは、スピーカ２１、４１、マイク２２、４２および送受話器（図示せず）をそれぞれ設け、ハンズフリー拡声通話およびハンドセット通話のうち何れかを選択して適用することもできる。
【００６２】
また、本発明の実施例によれば、インターホン親機２の操作部２３、インターホン副親機３の操作部４３としてそれぞれ通話ボタン、呼出ボタン等を適用したが、これに限定されず、同様な操作機能を有するタッチパネル操作部（図示せず）も好適である。
【００６３】
また、本発明の実施例によれば、ドアホン子機１のみに映像撮像機能、すなわち、カメラ１１を備えたが、インターホン親機２、インターホン副親機３にもそれぞれ同様な映像撮像機能としてカメラ、映像変調回路等を備えることにより、第１の居住者と第２の居住者との間の双方向通話を映像を確認しながら行うことができる。
【００６４】
さらに、本発明の実施例によれば、インターホン親機２、インターホン副親機３がそれぞれ有する電源回路３４、５０として、一次電池または二次電池を適用したが、これに限定されず、商用電源（ＡＣ１００Ｖ）を整流／平滑させて電源電圧を生成する当該電源回路も好適である。
【図面の簡単な説明】
【００６５】
【図１】本発明の実施例によるテレビインターホン装置の構成を示すシステム説明図。
【図２】本発明の実施例によるテレビインターホン装置の具体的な構成を示すブロック図。
【図３】本発明の実施例によるテレビインターホン装置において、インターホン親機のモニタ（ＬＣＤモニタ）が有するバックライトおよび／またはインターホン副親機のモニタ（ＬＣＤモニタ）が有するバックライトの点灯輝度の遷移を示す動作説明図。
【図４】従来例のテレビインターホン装置の構成を示すシステム説明図。
【符号の説明】
【００６６】
１……ドアホン子機
１１……カメラ
２……インターホン親機
２０……ＬＣＤモニタ（モニタ）
２００……バックライト
２００ａ……発光ダイオード
２０１……バックライト調光部
２０１ａ……スイッチ回路
２０１ｂ……スイッチ制御タイマ回路
３４……電源回路
３……インターホン副親機
４０……ＬＣＤモニタ（モニタ）
４００……バックライト
４００ａ……発光ダイオード
４０１……バックライト調光部
４０１ａ……スイッチ回路
４０１ｂ……スイッチ制御タイマ回路
５０……電源回路
【図１】
2005328473.tif 000003
【図２】
2005328473.tif 000004
【図３】
2005328473.tif 000005
【図４】
2005328473.tif 000006